(57)【要約】【課題】ネットワークに依存しないで情報の授受を行うことができ、設備のフレキシビリティ及びＩＤ情報に対するセキュリティを向上させ、また、設備コストを低減させる。【解決手段】画像撮影装置１４は、患者が所持するＩＤカード１７からＩＤ情報を取得し、蓄積性蛍光体パネルに装着された記憶素子に記録する。ＩＤ情報及び患者の放射線画像情報が記録された蓄積性蛍光体パネルは、放射線画像情報読取装置１０に装填され、前記蓄積性蛍光体パネルから取得したＩＤ情報に基づき、蓄積性蛍光体パネルから放射線画像情報を読み取って所望の画像処理を施した後、ＩＤ情報と関連させて放射線画像情報を表示出力し、保存する。【選択図】図１
2005275310.tif 000002
【特許請求の範囲】
【請求項１】
被写体の放射線画像情報を画像撮影装置により蓄積性蛍光体パネルに蓄積記録した後、前記放射線画像情報を放射線画像情報読取装置により読み取る放射線画像情報記録読取システムであって、
前記被写体の被写体情報及び撮影情報を含むＩＤ情報を保持するＩＤ情報保持部材を備え、
前記画像撮影装置は、前記ＩＤ情報保持部材から前記ＩＤ情報を読み取る第１ＩＤ情報読取部と、前記放射線画像情報が蓄積記録された前記蓄積性蛍光体パネルに前記ＩＤ情報を付与するＩＤ情報付与部とを備え、
前記放射線画像情報読取装置は、前記蓄積性蛍光体パネルに付与された前記ＩＤ情報を読み取る第２ＩＤ情報読取部と、前記蓄積性蛍光体パネルに蓄積記録された放射線画像情報を前記ＩＤ情報に関連させて処理する画像情報処理部とを備えることを特徴とする放射線画像情報記録読取システム。
【請求項２】
請求項１記載のシステムにおいて、
前記放射線画像情報読取装置は、前記放射線画像情報を前記ＩＤ情報保持部材に記録する放射線画像情報記録部を備えることを特徴とする放射線画像情報記録読取システム。
【請求項３】
請求項１記載のシステムにおいて、
前記ＩＤ情報付与部は、前記蓄積性蛍光体パネルに装着された記憶素子に前記ＩＤ情報を記憶させることを特徴とする放射線画像情報記録読取システム。
【請求項４】
請求項１記載のシステムにおいて、
前記蓄積性蛍光体パネルは、カセッテに収納されて前記画像撮影装置に供給され、前記ＩＤ情報付与部は、前記カセッテに装着された記憶素子に前記ＩＤ情報を記憶させることを特徴とする放射線画像情報記録読取システム。
【請求項５】
請求項３又は４記載のシステムにおいて、
前記第２ＩＤ情報読取部は、前記記憶素子から前記ＩＤ情報を読み取ることを特徴とする放射線画像情報記録読取システム。
【請求項６】
請求項３又は４記載のシステムにおいて、
前記記憶素子には、前記画像撮影装置に照射される放射線を遮蔽する遮蔽部材が配設されることを特徴とする放射線画像情報記録読取システム。
【請求項７】
請求項１記載のシステムにおいて、
前記放射線画像情報読取装置は、前記蓄積性蛍光体パネルに付与された前記ＩＤ情報を消去するＩＤ情報消去部を有することを特徴とする放射線画像情報記録読取システム。
【発明の詳細な説明】
【技術分野】
【０００１】
本発明は、被写体の放射線画像情報を画像撮影装置により蓄積性蛍光体パネルに蓄積記録した後、前記放射線画像情報を放射線画像情報読取装置により読み取る放射線画像情報記録読取システムに関する。
【背景技術】
【０００２】
例えば、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）が知られている。
【０００３】
この蓄積性蛍光体を利用して、人体等の被写体の放射線画像情報を蓄積性蛍光体層を備えてなる蓄積性蛍光体パネルに一旦記録し、この蓄積性蛍光体パネルにレーザ光等の励起光を照射して得られる輝尽発光光を光電的に読み取って得られた画像信号に基づき、写真感光材料等の記録媒体、ＣＲＴ等の表示装置に被写体の放射線画像を可視像として出力させる放射線画像情報記録読取システムが採用されている。なお、放射線画像情報の読み取られた蓄積性蛍光体パネルは、消去光を照射することで残存する放射線エネルギを除去した後、再度、放射線画像情報の記録に供することができる。
【０００４】
ところで、このような放射線画像情報記録読取システムを採用した比較的規模の大きな病院においては、放射線画像情報を被写体情報である患者情報と対応させて管理するため、例えば、特許文献１又は２に開示されているようなシステムが構築されている。このシステムの概要を図１０に従って説明する。
【０００５】
病院内には、医事情報を統括的に管理する医事情報システム（ＨＩＳ）１が設置される。医事情報システム１は、患者の氏名、性別、生年月日、身長、体重、患者ＩＤコード等の患者情報を管理するとともに、少なくとも前記患者ＩＤコードを記録したＩＤカード２を発行する機能を有する。
【０００６】
また、病院の放射線科には、ＣＴ（Computed Tomography）装置、ＭＲ（Magnetic Resonance）装置、ＣＲ（Computed Radiography）装置等の医用診断画像撮影装置によって処理される放射線画像情報を統括的に管理する画像情報処理装置（ＩＩＰ）３が設置される。
【０００７】
医師の指示によって放射線画像情報取得のオーダが発生すると、患者は、医事情報システム１によって発行された自分のＩＤカード２を所持して放射線科に移動する。放射線科の技師は、画像情報処理装置（ＩＩＰ）３から、患者のＩＤカード２を用いて患者ＩＤコードを入力するとともに、医師の指示による放射線画像情報の撮影情報、例えば、撮影年月日、撮影部位、撮影方法等を入力する。患者ＩＤコードが入力された画像情報処理装置（ＩＩＰ）３は、ネットワーク８を介して患者ＩＤコードに基づく必要な患者情報を医事情報システム１に要求し、医事情報システム１は、ネットワーク８を介して画像情報処理装置（ＩＩＰ）３に要求された患者情報を供給する。
【０００８】
次に、技師は、患者の放射線画像情報を記録する蓄積性蛍光体パネルＩＰを選択し、それに付されたバーコード等からパネル識別コードを画像情報処理装置（ＩＩＰ）３に入力した後、当該蓄積性蛍光体パネルＩＰを画像撮影装置４に装填し、患者の放射線画像情報の撮影を行う。
【０００９】
放射線画像情報が蓄積記録された蓄積性蛍光体パネルＩＰは、放射線画像情報読取装置５に装填される。このとき、放射線画像情報読取装置５は、蓄積性蛍光体パネルＩＰに付されたバーコード等からパネル識別コードを取得し、画像情報処理装置（ＩＩＰ）３で読み込んだパネル識別コードに対応した患者情報及び撮影情報をネットワーク８を介して画像情報処理装置（ＩＩＰ）３に要求する。画像情報処理装置（ＩＩＰ）３は、撮影に先だって入力された患者情報及び撮影情報をパネル識別コードから検索し、ネットワーク８を介して放射線画像情報読取装置５に供給する。
【００１０】
放射線画像情報読取装置５は、蓄積性蛍光体パネルＩＰから放射線画像情報を読み取り、画像情報処理装置（ＩＩＰ）３から供給された撮影情報に基づく画像処理を施す。画像処理の施された放射線画像情報は、ネットワーク８に接続されている所望の画像表示出力装置６に表示され、あるいは、フイルム等に出力されることで医師による診断に供せられる一方、ネットワーク８に接続されている画像保存装置７に患者情報と関連させて保存される。
【００１１】
【特許文献１】特開２００２−１５７５８５号公報
【特許文献２】特開２００２−３０６４２５号公報
【発明の開示】
【発明が解決しようとする課題】
【００１２】
ところで、このように構成される放射線画像情報記録読取システムでは、画像情報処理装置（ＩＩＰ）３や画像撮影装置４が、放射線画像情報の撮影に必要な患者情報及び撮影情報を、ネットワーク８を介して医事情報システム（ＨＩＳ）１から取得し、あるいは、技師が画像情報処理装置（ＩＩＰ）３に直接入力する作業が行われている。また、画像表示出力装置６や画像保存装置７に対して放射線画像情報を送信する場合においても、ネットワーク８が介在している。
【００１３】
この場合、病院内にネットワーク８を敷設することが不可欠であるため、設備コストが高騰する問題がある。一方、必要な情報を技師が画像情報処理装置（ＩＩＰ）３に直接入力する場合には、入力ミスの生じることが懸念される。
【００１４】
本発明は、この種の課題を解決するものであり、ネットワークに依存しないで情報の授受を行うことができ、設備のフレキシビリティ及びＩＤ情報に対するセキュリティを向上させ、また、設備コストを低減させることのできる放射線画像情報記録読取システムを提供することを目的とする。
【課題を解決するための手段】
【００１５】
本発明に係る放射線画像情報記録読取システムでは、画像撮影装置に備えられた第１ＩＤ情報読取部により、ＩＤ情報保持部材に保持された被写体情報及び撮影情報を含むＩＤ情報を読み取り、このＩＤ情報を確認して蓄積性蛍光体パネルに放射線画像情報を蓄積記録した後、ＩＤ情報付与部により蓄積性蛍光体パネルに前記ＩＤ情報を付与する。次いで、蓄積性蛍光体パネルを放射線画像情報読取装置に供給し、第２ＩＤ情報読取部により蓄積性蛍光体パネルに付与されたＩＤ情報を読み取り、取得したＩＤ情報に従い、画像情報処理部により蓄積性蛍光体パネルに蓄積記録された放射線画像情報の処理を行う（請求項１記載の発明）。この場合、ネットワークを介することなく、ＩＤ情報の授受を行うことができる。
【００１６】
また、放射線画像情報読取装置により処理された放射線画像情報を、放射線画像情報記録部によりＩＤ情報保持部材に記録することで、ＩＤ情報を有する放射線画像情報をＩＤ情報保持部材とともに自由に持ち運ぶことができる（請求項２記載の発明）。
【００１７】
なお、ＩＤ情報付与部は、蓄積性蛍光体パネルに装着された記憶素子、あるいは、蓄積性蛍光体パネルが収納されるカセッテに装着された記憶素子に対してＩＤ情報を記憶させることができる（請求項３、４記載の発明）。また、第２ＩＤ情報読取部は、前記記憶素子からＩＤ情報を読み取ることができる（請求項５記載の発明）。記憶素子の放射線が照射される側に放射線遮蔽部材を配設することにより、記憶されたＩＤ体情報の破壊又は消失を好適に回避することができる（請求項６記載の発明）。
【００１８】
また、放射線画像情報読取装置には、蓄積性蛍光体パネルに付与されたＩＤ情報を消去するＩＤ情報消去部を設けることにより、放射線画像情報を読み取った後、当該蓄積性蛍光体パネルを他の被写体に対して再利用することができる（請求項７記載の発明）。
【００１９】
なお、蓄積性蛍光体パネルから被写体情報を消去しておくことにより、放射線画像情報が蓄積記録されていない未撮影の蓄積性蛍光体パネル、あるいは、被写体情報が未登録の蓄積性蛍光体パネルを放射線画像情報読取装置に装填した際、放射線画像情報の読取対象となっていない蓄積性蛍光体パネル等が装填されたことを報知し、ユーザの注意を喚起することが可能である。
【発明の効果】
【００２０】
本発明の放射線画像情報記録読取システムによれば、被写体情報及び撮影情報を含むＩＤ情報をＩＤ情報保持部材に保持させて画像撮影装置に供給するとともに、蓄積性蛍光体パネルを介して前記ＩＤ情報を放射線画像情報読取装置に供給することにより、ネットワークに依存することなく、放射線画像情報の撮影や読み取りに必要な情報を画像撮影装置及び放射線画像情報読取装置に提供することができる。この場合、画像撮影装置及び放射線画像情報読取装置がネットワークから独立に構成されるため、システムの構築、組み替え等の自由度が高く、設備に要するコストを著しく低減させることができる。
【００２１】
また、被写体のＩＤ情報がネットワーク上に流れることがなく、ＩＤ情報保持部材に保持されているため、情報が外部に流出するおそれがなく、セキュリティが向上する。
【００２２】
さらに、被写体のＩＤ情報が、ＩＤ情報保持部材から蓄積性蛍光体パネルを介して放射線画像情報読取装置に供給されるため、被写体と蓄積性蛍光体パネルとを取り違えることがなく、確実に対応させて処理を行うことができる。
【発明を実施するための最良の形態】
【００２３】
図１は、本実施形態の放射線画像情報記録読取システムの全体構成図である。放射線画像情報記録読取システムは、患者情報の管理、患者のＩＤカード１７（ＩＤ情報保持部材）の発行、請求書の発行等を含む医療事務を行う医療事務管理装置１５と、診察室等に配置され、医師による診察や診断のための補助装置として機能する診察・診断装置１３と、病院内の放射線科に設置され、放射線画像情報を管理する画像情報処理装置２３とを備える。
【００２４】
ここで、患者情報は、患者の氏名、性別、生年月日、身長、体重、患者ＩＤコード等からなり、これらの患者情報がＩＤカード１７に記録される。ＩＤカード１７は、接触式の磁気カードや、ＲＦＩＤ（Radio Frequency ldentification）等の非接触式のＩＣカードからなる追記、書き替え可能な情報記録媒体であり、患者情報に加えて、放射線画像情報の撮影年月日、撮影部位、撮影方法等の撮影情報、撮影された放射線画像情報、診察記録、診断結果等を記録することができる。以下、ＩＤカード１７に記録される患者に係る情報をＩＤ情報という。
【００２５】
診察・診断装置１３は、医師による診察や診断に基づき、診察・診断記録、放射線画像情報の撮影情報、撮影された放射線画像情報の出力先の指定情報等をＩＤカード１７に記録する機能を有する。また、ＩＤカード１７に記録されている放射線画像情報を読み出して表示し、診断に供する機能を備えていてもよい。
【００２６】
画像情報処理装置２３には、放射線科の技師によって撮影予約情報や撮影情報を入力することができる。また、画像情報処理装置２３には、カードリーダ／ライタ１０２が接続されており、このカードリーダ／ライタ１０２を介してＩＤカード１７から患者情報、撮影情報等を読み取ることができるとともに、画像情報処理装置２３に入力した必要な撮影情報等をＩＤカード１７に記録することができる。
【００２７】
画像撮影装置１４は、ＩＤカード１７に記録されたＩＤ情報を読み取る一方、画像撮影装置１４による撮影実施情報を記録するカードリーダ／ライタ１１６（第１ＩＤ情報読取部）、患者情報及び撮影情報を表示する表示部１１８、カセッテ１８に収納された蓄積性蛍光体パネルＩＰにＩＤカード１７から読み取ったＩＤ情報を記録するＩＤ情報記録部１２４（ＩＤ情報付与部）を有する。
【００２８】
また、放射線科には、蓄積性蛍光体パネルＩＰに記録された放射線画像情報を読み取る放射線画像情報読取装置１０が設置される。放射線画像情報読取装置１０は、蓄積性蛍光体パネルＩＰに記録されたＩＤ情報を読み取るＩＤ情報読取記録部３２ａ〜３２ｄと、ＩＤカード１７から必要に応じてＩＤ情報を読み取る一方、蓄積性蛍光体パネルＩＰから読み取った放射線画像情報をＩＤカード１７に記録するカードリーダ／ライタ１３８（放射線画像情報記録部）とを有する。
【００２９】
放射線画像情報読取装置１０には、読み取った放射線画像情報を表示し、あるいは、必要に応じてフイルム等に出力する画像表示出力装置１６と、放射線画像情報を保存する画像保存装置１９とが接続される。
【００３０】
図３は、画像撮影装置１４及び放射線画像情報読取装置１０に装填される蓄積性蛍光体パネルＩＰ及びカセッテ１８の説明図である。カセッテ１８は、本体部１２の一端部に蓋体２８が開閉自在に配設されており、蓋体２８が開蓋されて蓄積性蛍光体パネルＩＰが収納可能に構成される。
【００３１】
蓄積性蛍光体パネルＩＰは、フレキシブルなパネルから構成され、後述するように、ＩＤカード１７から読み取ったＩＤ情報を記憶するＲＦＩＤ等のＩＣチップ２１（記憶素子）が装着されている。ＩＣチップ２１には、画像撮影装置１４に蓄積性蛍光体パネルＩＰが装填された際、放射線がＩＣチップ２１に直接照射されて情報が破壊されることのないように、例えば、原子量が２０７以上の重元素からなる放射線遮蔽部材２２が蓄積性蛍光体パネルＩＰとＩＣチップ２１との間に配設される。
【００３２】
また、特定の蓄積性蛍光体パネルＩＰと特定のカセッテ１８とが必ず対応している場合には、カセッテ１８の蓋体２８側にＩＣチップ２１を装着してもよい。この場合、ＩＣチップ２１には、蓄積性蛍光体パネルＩＰの場合と同様に、放射線を遮蔽する放射線遮蔽部材２２を配設すると好適である。さらに、蓄積性蛍光体パネルＩＰは、放射線画像情報読取装置１０における搬送路を直線状に構成できる場合には、ガラス等の硬質材料からなる支持基板に柱状の蓄積性蛍光体層を蒸着して形成される硬質なパネルとすることもできる。
【００３３】
図４は、放射線画像情報読取装置１０の構成図である。放射線画像情報読取装置１０の上部には、蓄積性蛍光体パネルＩＰが収容されたカセッテ１８を装填する複数のカセッテ装填部２０ａ〜２０ｄが設けられる。放射線画像情報読取装置１０の内部には、カセッテ装填部２０ａ〜２０ｄに近接して、カセッテ１８から蓄積性蛍光体パネルＩＰを枚葉する一方、読取消去が完了した蓄積性蛍光体パネルＩＰをカセッテ１８に収納する枚葉収納部３０が配設される。
【００３４】
枚葉収納部３０には、装填されたカセッテ１８に収納されている蓄積性蛍光体パネルＩＰのＩＣチップ２１に対して情報の読み取り及び記録を行うＩＤ情報読取記録部３２ａ〜３２ｄ（第２ＩＤ情報読取部、ＩＤ情報消去部）と、蓋体２８が開放されたカセッテ１８内に進入自在な吸着盤３４ａ〜３４ｄと、この吸着盤３４ａ〜３４ｄにより吸着保持された蓄積性蛍光体パネルＩＰを受け取って搬送路４０に送り出す搬送ローラ対３６ａ〜３６ｄと、搬送路４０と選択されたカセッテ装填部２０ａ〜２０ｄとを接続する揺動可能なガイド板３９ａ〜３９ｄとを備える。
【００３５】
枚葉収納部３０に接続される搬送路４０は、複数組のローラ対３８を備えて下方に延在した後、水平方向に延在する。水平方向に延在する搬送路４０には、読取部５０が配設される。読取部５０は、蓄積性蛍光体パネルＩＰを副走査方向（矢印Ａ方向）に搬送する副走査搬送機構５２と、副走査方向に搬送される蓄積性蛍光体パネルＩＰの主走査方向（副走査方向と略直交する方向）に励起光であるレーザビームＬを照射する走査ユニット５４と、このレーザビームＬの照射によって蓄積性蛍光体パネルＩＰから生ずる輝尽発光光を光電的に読み取る読取ユニット５６ａ及び５６ｂとを備える。副走査搬送機構５２は、蓄積性蛍光体パネルＩＰを搬送する第１及び第２ローラ対６０、６２を備える。
【００３６】
副走査搬送機構５２の上部に配設される読取ユニット５６ａは、蓄積性蛍光体パネルＩＰにおけるレーザビームＬの走査位置に沿って一端部が配設される光ガイド９６ａと、光ガイド９６ａの他端部に装着されるフォトマルチプライヤ９８ａとを備え、蓄積性蛍光体パネルＩＰの上面から得られる輝尽発光光を集光する。
【００３７】
副走査搬送機構５２の下部に配設される読取ユニット５６ｂは、蓄積性蛍光体パネルＩＰにおけるレーザビームＬの走査位置に沿って一端部が配設される光ガイド９６ｂと、光ガイド９６ｂの他端部に装着されるフォトマルチプライヤ９８ｂとを備え、蓄積性蛍光体パネルＩＰが透明な支持体によって支持された両面読取タイプのものである場合において、蓄積性蛍光体パネルＩＰの下面から得られる輝尽発光光を集光する。
【００３８】
搬送路４０は、読取部５０から上方向に延在した後、水平方向に延在して退避路５１に連通する。退避路５１は、読取部５０の上部に配設される消去搬送路５３を介して搬送路４０に連通する。消去搬送路５３には、複数本の消去用光源４６が配列された消去ユニット４２が配置される。消去ユニット４２と退避路５１との間には、放射線画像情報読取装置１０を制御する制御回路８０が配設される。
【００３９】
図５は、画像情報処理装置２３、画像撮影装置１４及び放射線画像情報読取装置１０の制御回路ブロック図である。
【００４０】
画像情報処理装置２３は、制御部１００によって制御されており、この制御部１００には、ＩＤカード１７に記録されているＩＤ情報を読み取る一方、必要な撮影情報等をＩＤカード１７に記録するカードリーダ／ライタ１０２と、撮影情報を含む必要な情報を入力する入力部１０４と、患者情報及び撮影情報を含むＩＤ情報を記憶するＩＤ情報メモリ１０６とが接続される。なお、画像情報処理装置２３は、インタフェースを介して画像撮影装置１４と接続されていてもよい。
【００４１】
画像撮影装置１４は、制御部１１４によって制御されており、制御部１１４には、患者のＩＤカード１７に記録されているＩＤ情報を読み取る一方、画像撮影装置１４による撮影実施情報を記録するカードリーダ／ライタ１１６と、読み取ったＩＤ情報を構成する患者名等の患者情報及び撮影情報を表示する表示部１１８と、画像撮影装置１４による撮影処理の制御を行う撮影制御部１２０と、装填されたカセッテ１８に収納されている蓄積性蛍光体パネルＩＰのＩＣチップ２１にＩＤ情報を記録するＩＤ情報記録部１２４とが接続される。
【００４２】
放射線画像情報読取装置１０は、制御部１２６によって制御されており、制御部１２６には、装填されたカセッテ１８に収納されている蓄積性蛍光体パネルＩＰのＩＣチップ２１からＩＤ情報を読み取る一方、放射線画像情報の読取処理が完了した蓄積性蛍光体パネルＩＰのＩＣチップ２１に対して、必要な情報を記録し、あるいは、ＩＣチップ２１に記録されている不要なＩＤ情報を消去するＩＤ情報読取記録部３２ａ〜３２ｄが接続される。また、制御部１２６には、蓄積性蛍光体パネルＩＰから読み取られた放射線画像情報をＩＤカード１７に記録し、必要に応じてＩＤカードからＩＤ情報を読み取るカードリーダ／ライタ１３８が接続される。さらに、制御部１２６には、走査ユニット５４を制御する走査ユニット制御部１３０と、読取ユニット５６ａ及び５６ｂを制御する読取ユニット制御部１３２と、消去ユニット４２を制御する消去ユニット制御部１３４と、撮影情報に基づき、蓄積性蛍光体パネルＩＰから読み取った放射線画像情報に対する画像処理を行う画像処理部１３６（画像情報処理部）とが接続される。さらにまた、放射線画像情報読取装置１０は、画像表示出力装置１６及び画像保存装置１９との間で必要な情報の授受を行うインタフェース（Ｉ／Ｆ）１４０及び１４２を有する。
【００４３】
本実施形態の放射線画像情報記録読取システムは、基本的には以上のように構成されるものであり、次に、その動作について説明する。
【００４４】
先ず、図６に示すフローチャートに基づき、診察・診断装置１３での処理について説明する。
【００４５】
医師は、患者からＩＤカード１７を受け取り、ＩＤカード１７に記録されているＩＤ情報を読み取る（ステップＳ１）。なお、ＩＤカード１７には、医療事務管理装置１５により、患者の氏名、性別、生年月日、身長、体重、患者を識別するための患者ＩＤコード等の患者情報が登録されている。また、ＩＤカード１７には、後述するように、読み取られた放射線画像情報を記録することができる。
【００４６】
ここで、ＩＤカード１７に既に放射線画像情報が記録されている場合（ステップＳ２）、医師は、その放射線画像情報をＩＤカード１７から読み取って診察・診断装置１３に表示させ、表示された放射線画像情報に基づいて診断を行い（ステップＳ３）、その診断結果をＩＤカード１７に記録するとともに、診断に係るその他の情報をＩＤカード１７に記録する。医療事務管理装置１５は、患者から手渡された診断結果等の記録されたＩＤカード１７を用いて、会計事務等の業務を遂行することができる。
【００４７】
一方、ＩＤカード１７に放射線画像情報が記録されていない場合（ステップＳ２）、医師は、ＩＤカード１７から読み取ったＩＤ情報に基づいて診察を行い（ステップＳ４）、当該患者の放射線画像情報の撮影に必要な撮影情報、例えば、撮影年月日、撮影部位、画像処理条件を含む撮影方法等を設定するとともに、撮影された放射線画像情報の出力先等を指定し、これらの情報をＩＤカード１７に記録する（ステップＳ５）。
【００４８】
なお、医師は、次の患者のＩＤカード１７がある場合、同様にして必要な診察又は診断を繰り返す（ステップＳ６）。
【００４９】
ＩＤカード１７に撮影等に必要な撮影情報を含むＩＤ情報が記録されると、患者は、そのＩＤカード１７を所持して放射線科に移動する。
【００５０】
そこで、次に、図７に示すフローチャートに基づき、放射線科の画像情報処理装置２３における処理について説明する。
【００５１】
放射線科の技師は、画像情報処理装置２３を操作し、カードリーダ／ライタ１０２を用いて患者が所持するＩＤカード１７からＩＤ情報を読み取る（ステップＳ１１）。この場合、ＩＤカード１７には、患者情報及び医師によって指示された撮影情報が入力されている。そこで、技師は、画像情報処理装置２３において、ＩＤカード１７から読み取ったＩＤ情報を表示させ（ステップＳ１２）、その内容を確認する（ステップＳ１３）。技師は、表示されたＩＤ情報に基づき、放射線画像情報を撮影するための予約情報を登録するとともに、撮影情報に対して必要な修正や追記を行い、カードリーダ／ライタ１０２によりＩＤカード１７に記録する。また、これらのＩＤ情報は、予約情報とともにＩＤ情報メモリ１０６に登録される（ステップＳ１４）。なお、放射線画像情報を取得する対象となる患者が複数有る場合、各患者のＩＤカード１７を用いて、ＩＤ情報の登録作業を繰り返す（ステップＳ１５）。
【００５２】
次に、図８に示すフローチャートに基づき、画像撮影装置１４における処理について説明する。
【００５３】
患者は、自分のＩＤカード１７を所持して画像撮影装置１４に移動した後、ＩＤカード１７に登録されているＩＤ情報をカードリーダ／ライタ１１６に読み取らせる（ステップＳ２１）。なお、ＩＤカード１７がＲＦＩＤ等の非接触で情報の読み取りを行うことができるＩＣカードからなる場合には、患者がＩＤカード１７を所持してさえいれば、ＩＤカード１７の読取処理を特別に意識しないでＩＤカード情報をカードリーダ／ライタ１１６に読み取らせることができる。
【００５４】
カードリーダ／ライタ１１６によって読み取られたＩＤ情報は、表示部１１８に表示される（ステップＳ２２）。患者又は技師は、表示されたＩＤ情報を確認し（ステップＳ２３）、例えば、画像情報処理装置２３で登録した予約情報に基づく患者でない場合等、その内容に問題がある場合、該当する患者のＩＤカード１７の読み取りを再度行わせる（ステップＳ２１）。また、表示されている撮影情報の修正等が必要な場合、画像情報処理装置２３において撮影情報を再登録してＩＤカード１７に記録し、そのＩＤカード１７をカードリーダ／ライタ１１６に再度読み込ませる（ステップＳ２１）。
【００５５】
患者のＩＤ情報が確認された後、蓄積性蛍光体パネルＩＰを収納したカセッテ１８を画像撮影装置１４に装填し（ステップＳ２４）、撮影情報に応じた放射線画像情報の撮影を行う（ステップＳ２５）。
【００５６】
撮影が終了すると、ＩＤ情報記録部１２４は、蓄積性蛍光体パネルＩＰに装着されたＩＣチップ２１に対して、ステップＳ２１でＩＤカード１７から読み取ったＩＤ情報を記録する（ステップＳ２６）。この場合、ＩＣチップ２１に記録されたＩＤ情報と、蓄積性蛍光体パネルＩＰに蓄積記録された放射線画像情報に係る患者とが完全に一致する。また、カードリーダ／ライタ１１６は、蓄積性蛍光体パネルＩＰへの放射線画像情報の撮影実施情報をＩＤカード１７に記録する（ステップＳ２７）。
【００５７】
次に、図９に示すフローチャートに基づき、放射線画像情報読取装置１０における処理について説明する。
【００５８】
技師は、放射線画像情報が蓄積記録された蓄積性蛍光体パネルＩＰを収納したカセッテ１８を画像撮影装置１４から取り出し、放射線画像情報読取装置１０のカセッテ装填部２０ａ〜２０ｄの１つに装填する（ステップＳ３１）。
【００５９】
カセッテ１８が装填されると、枚葉収納部３０に配設されたＩＤ情報読取記録部３２ａ〜３２ｄは、蓄積性蛍光体パネルＩＰに装着されたＩＣチップ２１からＩＤ情報を読み取る（ステップＳ３２）。
【００６０】
ＩＣチップ２１からＩＤ情報を読み取った後、放射線画像情報読取装置１０は、蓄積性蛍光体パネルＩＰに蓄積記録されている放射線画像情報の読取処理を開始する（ステップＳ３３）。
【００６１】
そこで、図示しない開蓋機構がカセッテ１８の蓋体２８を開蓋した後、枚葉収納部３０の吸着盤３４ａ〜３４ｄがカセッテ１８内に移動し、この吸着盤３４ａ〜３４ｄにより蓄積性蛍光体パネルＩＰが吸着保持される。蓄積性蛍光体パネルＩＰは、吸着盤３４ａ〜３４ｄによってカセッテ１８から取り出され、搬送ローラ対３６ａ〜３６ｄに供給される。
【００６２】
搬送ローラ対３６ａ〜３６ｄは、蓄積性蛍光体パネルＩＰを挟持し、ガイド板３９ａ〜３９ｄを介して搬送路４０に供給する。搬送路４０は、複数のローラ対３８の回転作用下に蓄積性蛍光体パネルＩＰを鉛直下方向に向かって搬送し、読取部５０を構成する副走査搬送機構５２に供給する。
【００６３】
副走査搬送機構５２では、蓄積性蛍光体パネルＩＰが第１及び第２ローラ対６０、６２に挟持されて矢印Ａ方向（水平方向）に副走査搬送される一方、走査ユニット５４からレーザビームＬが導出される。このレーザビームＬは、蓄積性蛍光体パネルＩＰを主走査する。レーザビームＬの照射により蓄積性蛍光体パネルＩＰから得られた輝尽発光光は、光ガイド９６ａ及び９６ｂを介してフォトマルチプライヤ９８ａ及び９８ｂにより光電的に読み取られる。
【００６４】
画像処理部１３６は、ステップＳ３２で読み取ったＩＤ情報に含まれる撮影情報に画像処理条件の指定がある場合（ステップＳ３４）、読み取られた放射線画像情報に対して画像処理条件に従った画像処理を施す（ステップＳ３５）。
【００６５】
次いで、放射線画像情報読取装置１０は、必要に応じて画像処理された放射線画像情報を、ＩＤ情報に出力先の指定がある場合には、その出力先の画像表示出力装置１６に表示し、あるいは、フイルム等に出力する（ステップＳ３６）。これにより、医師による診断が可能となる。また、この放射線画像情報は、画像保存装置１９に送信され、保存される（ステップＳ３７）。
【００６６】
一方、蓄積性蛍光体パネルＩＰから読み取られた放射線画像情報は、カードリーダ／ライタ１３８によってＩＤカード１７に記録される（ステップＳ３８）。
【００６７】
放射線画像情報の読み取りが終了した蓄積性蛍光体パネルＩＰは、上方向に延在する搬送路４０を介して一旦退避路５１に搬送された後、戻されて消去搬送路５３に搬入される。消去ユニット４２は、消去搬送路５３を矢印Ｂ方向に搬送される蓄積性蛍光体パネルＩＰに対して消去用光源４６から消去光を照射し、蓄積性蛍光体パネルＩＰに残存する放射線画像情報を消去する（ステップＳ３９）。
【００６８】
消去後の蓄積性蛍光体パネルＩＰは、消去搬送路５３から搬送路４０に搬入された後、選択されたガイド板３９ａ〜３９ｄの１つを介して枚葉収納部３０によりカセッテ１８に戻される。
【００６９】
このとき、ＩＤ情報読取記録部３２ａ〜３２ｄは、蓄積性蛍光体パネルＩＰのＩＣチップ２１に記録されているＩＤ情報の消去処理を行う（ステップＳ４０）。なお、ＩＣチップ２１に対して、蓄積性蛍光体パネルＩＰから読み取った放射線画像情報に基づいて算出した放射線照射量情報を記録しておき、蓄積性蛍光体パネルＩＰの劣化判断等の資料とすることもできる。
【００７０】
次いで、蓄積性蛍光体パネルＩＰを収納したカセッテ１８は、蓋体２８が閉じられた後、カセッテ装填部２０ａ〜２０ｄから排出される（ステップＳ４１）。なお、カセッテ１８に収納された蓄積性蛍光体パネルＩＰは、再び放射線画像情報の撮影処理に供せられる。
【００７１】
なお、上述した実施形態では、患者が所持するＩＤカード１７に患者情報及び撮影情報を含むＩＤ情報を保持させ、その情報を画像撮影装置１４から蓄積性蛍光体パネルＩＰを介して放射線画像情報読取装置１０に供給するようにしているが、例えば、患者が所持する携帯電話やＰＤＡ（Personal Digital Assistant）端末をＩＤ情報保持部材として機能させるようにしてもよい。
【図面の簡単な説明】
【００７２】
【図１】本実施形態の放射線画像情報記録読取システムの全体構成図である。
【図２】放射線科に設置される画像情報処理装置、画像撮影装置及び放射線画像情報読取装置の具体的説明図である。
【図３】画像撮影装置及び放射線画像情報読取装置に装填される蓄積性蛍光体パネル及びカセッテの説明図である。
【図４】放射線画像情報読取装置の構成図である。
【図５】放射線科に設置される画像情報処理装置、画像撮影装置及び放射線画像情報読取装置の制御回路ブロック図である。
【図６】診察・診断装置における処理フローチャートである。
【図７】画像情報処理装置における処理フローチャートである。
【図８】画像撮影装置における処理フローチャートである。
【図９】放射線画像情報読取装置における処理フローチャートである。
【図１０】従来技術を説明するための放射線画像情報記録読取システムの全体構成図である。
【符号の説明】
【００７３】
１０…放射線画像情報読取装置          １３…診察・診断装置
１４…画像撮影装置                    １５…医療事務管理装置
１６…画像表示出力装置                １７…ＩＤカード
１８…カセッテ                        １９…画像保存装置
２１…ＩＣチップ                      ２２…放射線遮蔽部材
２３…画像情報処理装置                ３２ａ〜３２ｄ…ＩＤ情報読取記録部
４２…消去ユニット                    ５０…読取部
１０２、１１６、１３８…カードリーダ／ライタ
１０４…入力部                        １２４…ＩＤ情報記録部
１３６…画像処理部                    １３８…カードライタ
ＩＰ…蓄積性蛍光体パネル
【図１】
2005275310.tif 000003
【図２】
2005275310.tif 000004
【図３】
2005275310.tif 000005
【図４】
2005275310.tif 000006
【図５】
2005275310.tif 000007
【図６】
2005275310.tif 000008
【図７】
2005275310.tif 000009
【図８】
2005275310.tif 000010
【図９】
2005275310.tif 000011
【図１０】
2005275310.tif 000012